(57)【要約】【課題】  エレベータ利用者の利便性をなるべく低下させないようにしつつ、エレベータに対する遠隔診断運転を効率よく実施させる。【解決手段】  実施形態によれば、エレベータの遠隔監視装置は、エレベータ内の各機器の稼動状態を遠隔から診断する遠隔診断の開始時刻が到来したと判断すると、エレベータで過去に発生した呼びの履歴情報に基づいて、現在時刻以降で、エレベータが利用される可能性が低い期間を抽出する。そして、抽出した期間に、遠隔診断のための複数の遠隔診断運転プログラムが順次実行されるように、複数の遠隔診断運転プログラムの実行間隔を設定する。【選択図】図１
2019031363.tif 000002
【特許請求の範囲】
【請求項１】
エレベータの遠隔監視装置が、前記エレベータ内の各機器の稼動状態を遠隔から診断する遠隔診断の開始時刻が到来したと判断すると、前記エレベータで過去に発生した呼びの履歴情報に基づいて、現在時刻以降で、エレベータが利用される可能性が低い期間を抽出し、抽出した期間に、前記遠隔診断のための複数の遠隔診断運転プログラムが順次実行されるように、前記複数の遠隔診断運転プログラムの実行タイミングを設定する
ことを特徴とするエレベータの遠隔診断運転方法。
【請求項２】
前記遠隔監視装置は、前記エレベータで過去に発生した呼びの履歴情報に基づいて、エレベータが利用される可能性が低い複数の期間を抽出し、抽出した複数の期間のうち、開始時刻が早い順に、前記複数の遠隔診断運転プログラムを順次割り当てることで、前記複数の遠隔診断運転プログラムの実行タイミングを設定する
ことを特徴とする請求項１に記載のエレベータの遠隔診断運転方法。
【請求項３】
前記遠隔監視装置は、実行タイミングが設定されていない遠隔診断運転プログラムがあるが、抽出された複数の期間のうち、遠隔診断運転プログラムの割り当て処理が行われていない期間がないときには、該当する遠隔診断運転プログラムを、１つ前の遠隔診断運転プログラムの終了から待ち時間なく実行させるように実行タイミングを設定する
ことを特徴とする請求項２に記載のエレベータの遠隔診断運転方法。
【請求項４】
前記遠隔監視装置は、実行タイミングが設定されていない遠隔診断運転プログラムがあるが、遠隔診断運転プログラムの割り当て処理が行われていない期間がなく、呼びが発生する可能性が低いとして抽出された期間に割り当てることができない遠隔診断プログラムがあった場合には、次回の遠隔診断運転の開始時刻を所定時間前または後ろにずらす
ことを特徴とする請求項３に記載のエレベータの遠隔診断運転方法。
【請求項５】
前記遠隔監視装置で設定した、前記複数の遠隔診断運転プログラムの実行タイミングの情報を、前記エレベータが設置された建物から遠隔地にある監視センタ装置に表示させる
ことを特徴とする請求項１〜４いずれか１項に記載のエレベータの遠隔診断運転方法。
【請求項６】
請求項１〜５いずれか１項に記載のエレベータの遠隔診断運転方法を実行することを特徴とするエレベータの遠隔監視装置。
【請求項７】
請求項１〜５いずれか１項に記載のエレベータの遠隔診断運転方法をエレベータ制御装置に実行させるためのエレベータの遠隔診断運転用プログラム。
【発明の詳細な説明】
【技術分野】
【０００１】
本発明の実施形態は、エレベータの遠隔診断運転方法、遠隔監視装置、及びエレベータの遠隔診断運転用プログラムに関する。
【背景技術】
【０００２】
従来、建物に設置されたエレベータに対し、通信ネットワークを介して監視センタから遠隔診断運転信号を送信し、エレベータ制御装置内に備えられた診断運転プログラムを起動させることで、エレベータの遠隔診断運転を実施している。このような遠隔診断運転を所定時間ごとに実施することで、保守員が直接エレベータに出向いて点検作業を行うことなく、保守管理を行うことができる。
【先行技術文献】
【特許文献】
【０００３】
【特許文献１】特許第３２２４９２０号公報
【発明の概要】
【発明が解決しようとする課題】
【０００４】
上述した遠隔診断運転は、その実行中に利用者によるエレベータ呼びが発生すると、一時中断する。そして、当該呼びに対する応答が終了すると再開し、当該遠隔診断運転を最初から実行し直す。
【０００５】
このように遠隔診断運転を一時中断させ、再開後にまた最初から実行し直すと処理効率が悪くなるため、なるべく中断させることなく遠隔診断運転を実行させることが理想である。しかし、建物が高層化して階床数が多くなると遠隔診断運転の実行時間が長時間化し、利用者によるエレベータの呼びが発生して遠隔診断運転が中断する確率が高くなり、場合によっては所定時間内に完了できない事態も発生し得る。
【０００６】
本発明は上記事情に鑑みてなされたものであり、エレベータ利用者の利便性をなるべく低下させないようにしつつ、エレベータに対する遠隔診断運転を効率よく実施するためのエレベータの遠隔診断運転方法、遠隔監視装置、及びエレベータの遠隔診断運転用プログラムの提供を目的とする。
【課題を解決するための手段】
【０００７】
上記目的を達成するための実施形態によれば、エレベータの遠隔監視装置は、エレベータ内の各機器の稼動状態を遠隔から診断する遠隔診断の開始時刻が到来したと判断すると、エレベータで過去に発生した呼びの履歴情報に基づいて、現在時刻以降で、エレベータが利用される可能性が低い期間を抽出する。そして、抽出した期間に、遠隔診断のための複数の遠隔診断運転プログラムが順次実行されるように、複数の遠隔診断運転プログラムの実行タイミングを設定する。
【図面の簡単な説明】
【０００８】
【図１】第１実施形態によるエレベータの遠隔監視装置を利用した遠隔診断システムの構成を示すブロック図。
【図２】第１実施形態によるエレベータの遠隔監視装置の動作を示すフローチャート。
【図３】第１実施形態によるエレベータの遠隔監視装置で読み出した呼び発生履歴情報の一例を示す表。
【図４】第１実施形態によるエレベータの遠隔監視装置で設定された各遠隔診断運転プログラムの実行待ち時間の一例を示す表。
【図５】第２実施形態によるエレベータの遠隔監視装置を利用した遠隔診断システムの構成を示すブロック図。
【図６】第２実施形態によるエレベータの遠隔監視装置の動作を示すフローチャート。
【発明を実施するための形態】
【０００９】
以下、本発明の実施形態による遠隔診断システムについて、図面を参照して説明する。本実施形態による遠隔診断システムは、エレベータに自動で診断運転を実行させることにより、当該エレベータ内の各機器の稼動状態を遠隔から診断するためのシステムである。以下、遠隔から各機器の稼動状態を診断するためにエレベータに自動で実行させる診断運転を、「遠隔診断運転」と称して説明する。
【００１０】
《第１実施形態》
〈第１実施形態によるエレベータの遠隔診断システムの構成〉
本発明の第１実施形態によるエレベータの遠隔診断システムの構成について、図１を参照して説明する。本実施形態によるエレベータの遠隔診断システム１Ａは、建物内に設置されたエレベータの運転を制御するエレベータ制御装置１０と、当該エレベータの稼動状態を遠隔から診断するための遠隔監視装置２０とを備える。
【００１１】
エレベータ制御装置１０は、遠隔診断運転プログラム記憶部１１と、呼び登録部１２と、運転制御部１３と、呼び発生履歴保存部１４とを有する。遠隔診断運転プログラム記憶部１１は、遠隔診断運転を実行するためのプログラム情報を記憶する。本実施形態において遠隔診断運転を実行するためのプログラムは、第１遠隔診断運転プログラム１１−１、第２遠隔診断運転プログラム１１−２、第３遠隔診断運転プログラム１１−３、および第４遠隔診断運転プログラム１１−４の４つのプログラムで構成されており、これらを順次実行するように予め設定されている。
【００１２】
呼び登録部１２は、エレベータの利用者の操作に基づいて、乗場呼びおよびかご呼びを登録する。運転制御部１３は、通常時は呼び登録部１２に登録された乗場呼びおよびかご呼びに応答するようにエレベータの運転を制御する。また運転制御部１３は、遠隔監視装置２０から遠隔診断運転の実行要求を受信すると、当該要求に従って遠隔診断運転を実行する。呼び発生履歴保存部１４は、呼び登録部１２に乗場呼びまたはかご呼びが登録された日時情報を、呼び発生履歴情報として保存する。
【００１３】
遠隔監視装置２０は、計時部２１と、遠隔診断起動部２２と、運行履歴情報読み出し部２３と、実行待ち時間設定部２４と、実行要求部２５とを有する。計時部２１は、遠隔監視装置２０の内部時計であり、現在時刻を計時する。遠隔診断起動部２２は、遠隔診断運転を実行するためのスケジュール情報を予め保持し、計時部２１で計時される現在時刻に基づいて遠隔診断処理の開始時刻が到来したと判断すると、遠隔診断処理を起動する。
【００１４】
呼び発生履歴読み出し部２３は、遠隔診断起動部２２で遠隔診断処理が起動されると、エレベータ制御装置１０の呼び発生履歴保存部１４に保存された呼び発生履歴情報を読み出す。実行待ち時間設定部２４は、呼び発生履歴読み出し部２３で読み出された呼び発生履歴情報に基づいて、現在時刻以降の所定期間内で、エレベータが利用される可能性が低い期間を抽出し、抽出した期間に第１遠隔診断運転プログラム１１−１〜第４遠隔診断運転プログラム１１−４を順次割り当てる。そして、割り当てた期間に第１遠隔診断運転プログラム１１−１〜第４遠隔診断運転プログラム１１−４が順次実行されるように、第１遠隔診断運転プログラム１１−１〜第４遠隔診断運転プログラム１１−４それぞれの実行タイミングを設定する。本実施形態においては、各遠隔診断運転プログラムの実行タイミングとして、１つ前に実行される遠隔診断運転プログラムの終了時点からの待ち時間、すなわち各遠隔診断運転プログラム間のインターバルを設定する。実行要求部２５は、実行待ち時間設定部２４で設定されたそれぞれの実行待ち時間情報を含む遠隔診断運転実行要求を生成し、エレベータ制御装置１０に送信する。
【００１５】
〈第１実施形態によるエレベータの遠隔診断方法〉
次に、本実施形態によるエレベータの遠隔診断方法について説明する。本実施形態において、当該エレベータの通常運転中は、呼び登録部１２に乗場呼びまたはかご呼びが登録される都度、該当する日時情報が呼び発生履歴情報として呼び発生履歴保存部１４に逐次保存されている。
【００１６】
また、エレベータ制御装置１０の遠隔診断運転プログラム記憶部１１には、遠隔診断運転を実行するための第１遠隔診断運転プログラム１１−１〜第４遠隔診断運転プログラム１１−４が予め記憶されている。第１遠隔診断運転プログラム１１−１〜第４遠隔診断運転プログラム１１−４は、例えば、昇降路内に設置された複数のリミットスイッチのＯＮ／ＯＦＦ動作、巻上げ機に備えられたブレーキの動作、および各階床におけるドアの開閉動作の診断を行うための運転プログラムである。
【００１７】
また、遠隔監視装置２０の実行待ち時間設定部２４には、第１遠隔診断運転プログラム１１−１〜第４遠隔診断運転プログラム１１−４それぞれの実行に要する時間時間が、それぞれ20分として記憶されている。
【００１８】
また、遠隔監視装置２０の遠隔診断起動部２２には、遠隔診断運転を実行するためのスケジュール情報として、毎月１日の01時00分00秒に、遠隔診断の処理が開始されるように設定されている。
【００１９】
このような前提の下で、遠隔監視装置２０で実行される処理について、図２のフローチャートを参照して説明する。
【００２０】
当該エレベータが通常運転しているときに、遠隔監視装置２０の遠隔診断起動部２２において、計時部２１で計時される現在時刻および予め設定されたスケジュール情報に基づいて、遠隔診断処理の開始時刻が到来したか否かが監視される（Ｓ１）。ここで、現在時刻が2017年2月1日  01時00分00秒になり、遠隔診断運転の開始時刻が到来したと判断されると（Ｓ１の「YES」）、遠隔診断処理が起動される（Ｓ２）。遠隔診断処理が起動されると、呼び発生履歴読み出し部２３により、エレベータ制御装置１０の呼び発生履歴保存部１４に保存された前月（2017年1月）の1日の呼び発生履歴情報が読み出される（Ｓ３）。読み出された呼び発生履歴情報の一例を、図３に示す。
【００２１】
次に、実行待ち時間設定部２４において、呼び発生履歴読み出し部２３で読み出された呼び発生履歴情報に基づいて、現在時刻と同一の時刻以降の所定期間（例えば５時間）以内で、呼びが発生しておらずエレベータの利用がなかった一定時間（例えば30分）以上の期間が抽出される。ここで抽出する期間は、第１〜第４遠隔診断運転プログラムそれぞれの実行に十分足りる期間で予め設定されている。
【００２２】
ここでは、図３の呼び発生履歴情報から、2017年1月1日  01時00分00秒以降の５時間以内で、呼びが発生していない３０分以上の期間として、第１期間「2017年1月1日  01時02分00秒〜2017年1月1日  02時00分00秒（58分間）」、第２期間「2017年1月1日  02時00分00秒〜2017年1月1日  05時01分00秒（180分1秒間）」、および、第３期間「2017年1月1日  05時02分00秒〜2017年1月1日  06時00分00秒（58分間）」が抽出される。そして、抽出された第１期間の開始時刻「01時02分00秒」および時間長「58分」、第２期間の開始時刻「02時00分00秒」および時間長「3時間1秒」、第３期間の開始時刻「05時02分00秒」および時間長「58分」が取得される。これらの期間は、実行待ち時間設定部２４において、現在時刻以降に、エレベータが利用される可能性が低い期間として認識される。
【００２３】
次に、実行待ち時間設定部２４により、抽出された期間うち、最も開始時刻が早い第１期間「2017年1月1日  01時02分00秒〜2017年1月1日  02時00分00秒（58分間）」に、実行可能な数の遠隔診断運転プログラムが順に割り当てられる（Ｓ５）。ここでは、第１遠隔診断運転プログラム１１−１〜第４遠隔診断運転プログラム１１−４の実行に要する時間がそれぞれ20分と設定されており、第１期間の58分間に、第１遠隔診断運転プログラムおよび第２遠隔診断運転プログラムの２つが実行可能として割当てられる。
【００２４】
そして、現在時刻から2分後には第１遠隔診断運転プログラムの実行開始が可能であると予測され、第１遠隔診断運転プログラムの実行待ち時間が、現在時刻「01時00分00秒」から「2分」として設定される。また、第２遠隔診断運転プラグラムは、第１遠隔診断運転プログラムの終了後、直ちに実行開始が可能であるため、実行待ち時間は「0分」として設定される（図４参照；Ｓ６）。各遠隔診断運転プログラムの実行時間は20分であるため、第２遠隔診断運転プログラムの実行終了時刻は、01時42分00秒となる。
【００２５】
ここで、まだ実行待ち時間が設定されていない第３および第４遠隔診断運転プログラムがある（Ｓ７の「YES」）。ここでは、第１期間の次に開始時刻が早い第２期間「2017年1月1日  02時00分00秒〜2017年1月1日  05時01分00秒（3時間1秒間）」があるため（Ｓ８の「YES」）、当該第２期間に、実行可能な数の遠隔診断運転プログラムが順に割り当てられる（Ｓ９）。ここでは、第２期間の3時間1秒間に、第３遠隔診断運転プログラムおよび第３遠隔診断運転プログラムの２つが実行可能として割当てられる。
【００２６】
そして、第２遠隔診断運転プログラムの実行終了時刻が01時42分00秒であり、第２期間の開始時刻が02時00分00秒であるため、第３遠隔診断運転プログラムの実行待ち時間は18分として設定される。また、第４遠隔診断運転プログラムは第３遠隔診断運転プログラムの終了後、直ちに実行開始が可能であるため、実行待ち時間は0分として設定される（図４参照；Ｓ１０）。ここで、第１遠隔診断運転プログラムが開始するまでの所定期間が経過しておらず（Ｓ１１の「NO」）、実行待ち時間が設定されていない遠隔診断運転プログラムがある場合には（Ｓ７の「YES」）、ステップＳ８〜Ｓ１０の処理が繰り返される。
【００２７】
また、実行待ち時間が設定されていない遠隔診断運転プログラムがあるが、遠隔診断運転プログラムの割り当て処理が行われていない期間が既にない場合（Ｓ７の「YES」、Ｓ８の「NO」）には、該当する遠隔診断プログラムに対する実行待ち時間が「0分」として設定される（Ｓ１１）。このように、呼びが発生する可能性が低いとして抽出された期間に割り当てることができない遠隔診断プログラムがあった場合には、遠隔診断起動部２２に保持されているスケジュール情報を自動で変更し、次回の遠隔診断運転の開始時刻を所定時間前または後ろにずらすようにしてもよい。
【００２８】
本実施形態では、第１〜第４遠隔診断運転プラグラムすべての実行待ち時間が設定された状態になったため（Ｓ７の「NO」）、実行要求部２５により、各遠隔診断運転プログラムの実行待ち時間情報を含む遠隔診断運転実行要求が生成され、エレベータ制御装置１０に送信される（Ｓ１２）。
【００２９】
エレベータ制御装置１０では、遠隔監視装置２０から送信された遠隔診断運転実行要求が運転制御部１３で取得され、当該要求に含まれる実行待ち時間情報に従って、遠隔診断運転プログラム記憶部１１に記憶されている第１〜第４遠隔診断運転プログラムがそれぞれ実行される。
【００３０】
以上の第１実施形態によれば、エレベータ利用者の利便性をなるべく低下させないようにしつつ、エレベータに対する遠隔診断運転を、なるべく中断を発生させずに効率よく実施することができる。
【００３１】
《第２実施形態》
〈第２実施形態によるエレベータの遠隔診断システムの構成〉
本発明の第２実施形態によるエレベータの遠隔診断システムの構成について、図５を参照して説明する。本実施形態によるエレベータの遠隔診断システム１Ｂは、遠隔監視装置２０にネットワークを介して接続され、当該エレベータが設置された建物から遠隔地にある監視センタに設置された監視センタ装置３０を有する他は、第１実施形態で説明した遠隔診断システム１Ａの構成と同様であるため、同一機能を有する部分の詳細な説明は省略する。
【００３２】
本実施形態において遠隔監視装置２０の実行待ち時間設定部２４は、第１〜第４遠隔診断運転プログラムの実行待ち時間を設定すると、設定した待ち時間の情報を送信部２６から監視センタ装置３０に送信する。監視センタ装置３０では、遠隔監視装置２０から受信した第１〜第４遠隔診断運転プラグラムの実行待ち時間の情報を、表示部３１に表示させる。
【００３３】
〈第２実施形態によるエレベータの遠隔診断方法〉
本実施形態において、遠隔監視装置２０で実行される処理について、図６のフローチャートを参照して説明する。本実施形態において、ステップＳ１〜Ｓ１１で実行される処理は、第１実施形態で説明した場合と同様であるため、詳細な説明は省略する。
【００３４】
ステップＳ７において、実行待ち時間設定部２４においてすべての遠隔診断運転プログラムの実行待ち時間が設定されると（Ｓ７の「NO」またはＳ１１）、設定された待ち時間の情報が送信部２６から監視センタ装置３０に送信される（Ｓ１３）。そして、第１実施形態の場合と同様に、実行要求部２５により、各遠隔診断運転プログラムの実行待ち時間情報を含む遠隔診断運転実行要求が生成され、エレベータ制御装置１０に送信される（Ｓ１２）。
【００３５】
以上の第２実施形態によれば、第１実施形態と同様の効果を有するとともに、エレベータが設置された建物から遠隔の監視センタにおいて、各遠隔診断運転プログラムがどの期間に実施されるかを確認することができ、効果的に遠隔診断を行うことができる。
【００３６】
上述した第１および第２実施形態では、遠隔監視装置２０の実行待ち時間設定部２４において、過去に呼びが発生しなかった期間に該当する期間が、以降にエレベータが利用される可能性が低い期間として認識される場合について説明したが、実際には呼びが発生してから当該呼びに応答する運転が実行されるまでには数秒〜数分の時間を要する。そのため、呼びの発生時刻から所定時間後にずらした時刻を、エレベータが利用される可能性が低い期間の開始時刻とするようにしてもよい。
【００３７】
また、上述した第１および第２実施形態では、遠隔監視装置２０の呼び発生履歴読み出し部２３において、前月の中の現在と同一日の呼び発生履歴情報が読み出される場合について説明したが、日付が同じでも平日と休日とではエレベータの利用状況が大きく異なる場合がある。そのため、前月の中の現在と同一日から、最も早く到来する、現在と同じ曜日の日の呼び発生履歴情報が読み出されるようにしてもよい。
【００３８】
また、上述した第１および第２実施形態では、各遠隔診断運転プログラムの実行タイミングとして、１つ前に実行される遠隔診断運転プログラムの終了時点からの待ち時間、すなわち各遠隔診断運転プログラム間のインターバルを設定する場合について説明した。しかし、この形態には限定されず、各遠隔診断運転プログラムの実行タイミングとして、それぞれ実行時刻を設定するようにしてもよい。
【００３９】
また、上述した第１および第２実施形態では、エレベータ制御装置と遠隔監視装置とを別装置として構成した場合について説明したが、これらの装置を一体化し、遠隔監視装置の機能をエレベータ制御装置内に設けるようにしてもよい。
【００４０】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４１】
１Ａ，１Ｂ…遠隔診断システム、１０…エレベータ制御装置、１１…遠隔診断運転プログラム記憶部、１１−１…第１遠隔診断運転プログラム、１１−２…第２遠隔診断運転プログラム、１１−３…第３遠隔診断運転プログラム、１１−４…第４遠隔診断運転プログラム、１２…呼び登録部、１３…運転制御部、１４…呼び発生履歴保存部、２０…遠隔監視装置、２１…計時部、２２…遠隔診断起動部、２３…呼び発生履歴読み出し部、２４…実行待ち時間設定部、２５…実行要求部、２６…送信部、３０…監視センタ装置、３１…表示部
【図１】
2019031363.tif 000003
【図２】
2019031363.tif 000004
【図３】
2019031363.tif 000005
【図４】
2019031363.tif 000006
【図５】
2019031363.tif 000007
【図６】
2019031363.tif 000008
【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
エレベータ内の各機器の稼働状態を遠隔から診断するための遠隔診断運転を前記エレベータに実行させるための複数の遠隔診断運転プログラム情報を、それぞれの実行に要する時間の情報とともに記憶するエレベータの遠隔監視装置が、前記遠隔診断運転の開始時刻が到来したと判断すると、前記エレベータで過去に発生した呼びの履歴情報に基づいて、前記複数の遠隔診断運転プログラムそれぞれの実行に十分足りる時間以上、エレベータの利用がなかった期間を抽出し、抽出した期間の開始時刻および時間長を、現在時刻以降に前記エレベータが利用される可能性が低い期間として取得し、このうち、最も開始時刻が早い期間から順に、時間長に応じて実行可能な数のプログラム情報を順次割り当てることで、前記複数の遠隔診断運転プログラムの実行タイミングを設定する
ことを特徴とするエレベータの遠隔診断運転方法。
【請求項２】
前記遠隔監視装置は、実行タイミングが設定されていない遠隔診断運転プログラムがあるが、抽出された複数の期間のうち、遠隔診断運転プログラムの割り当て処理が行われていない期間がないときには、該当する遠隔診断運転プログラムを、１つ前の遠隔診断運転プログラムの終了から待ち時間なく実行させるように実行タイミングを設定する
ことを特徴とする請求項１に記載のエレベータの遠隔診断運転方法。
【請求項３】
前記遠隔監視装置は、実行タイミングが設定されていない遠隔診断運転プログラムがあるが、抽出された複数の期間のうち、遠隔診断運転プログラムの割り当て処理が行われていない期間がなく、呼びが発生する可能性が低いとして抽出された期間に割り当てることができない遠隔診断プログラムがあった場合には、次回の遠隔診断運転の開始時刻を所定時間前または後ろにずらす
ことを特徴とする請求項１または２に記載のエレベータの遠隔診断運転方法。
【請求項４】
前記遠隔監視装置で設定した、前記複数の遠隔診断運転プログラムの実行タイミングの情報を、前記エレベータが設置された建物から遠隔地にある監視センタ装置に表示させることを特徴とする請求項１〜３いずれか１項に記載のエレベータの遠隔診断運転方法。
【請求項５】
請求項１〜４いずれか１項に記載のエレベータの遠隔診断運転方法を実行することを特徴とするエレベータの遠隔監視装置。
【請求項６】
請求項１〜４いずれか１項に記載のエレベータの遠隔診断運転方法をエレベータ制御装置に実行させるためのエレベータの遠隔診断運転用プログラム。
【手続補正２】
【補正対象書類名】明細書
【補正対象項目名】０００７
【補正方法】変更
【補正の内容】
【０００７】
上記目的を達成するための実施形態によれば、エレベータの遠隔監視装置は、エレベータ内の各機器の稼働状態を遠隔から診断するための遠隔診断運転を前記エレベータに実行させるための複数の遠隔診断運転プログラム情報を、それぞれの実行に要する時間の情報とともに記憶する。そして、前記遠隔診断運転の開始時刻が到来したと判断すると、前記エレベータで過去に発生した呼びの履歴情報に基づいて、前記複数の遠隔診断運転プログラムそれぞれの実行に十分足りる時間以上、エレベータの利用がなかった期間を抽出し、抽出した期間の開始時刻および時間長を、現在時刻以降に前記エレベータが利用される可能性が低い期間として取得し、このうち、最も開始時刻が早い期間から順に、時間長に応じて実行可能な数のプログラム情報を順次割り当てることで、前記複数の遠隔診断運転プログラムの実行タイミングを設定する。